(57)【要約】  リブコース６を編み始めとして底面８を編成し、この間に辺１０，１２を相対的に左右に移動させ、掛け目からなる辺１４，１６を形成する。辺１０，１２と掛け目からなる辺１４，１６に接続したウェールで立体編物４０の４側面を編成し、上面３０を編成して、辺３４，３５の編目と接合し、辺３２の編目と伏せ目すると、立体編物４０が得られる。底面の有る立体編地を無縫製で編成できる。
2008143172.tif 000002
【特許請求の範囲】
【請求項１】
前後に対向する第１の針床と第２の針床とを備えた横編機により、３次元編物を編成する方法において、
a:  第１の針床に第１の編目列を、第２の針床に第２の編目列を、第１の編目列と第２の編目列とを対向させて設けるステップと、
b:  第１の編目列とウェールが連続する編目列を、第３の編目列に到るまで、複数列編成して、３次元編物の底面の編地を編成すると共に、第３の編目列と、前記第２の編目列もしくは前記第２の編目列とウェールが連続する第４の編目列との間に、第５の編目列と第６の編目列とを設けるステップと、
c:  前記第２，第３の編目列と第５，第６の編目列、もしくは前記第３〜第６の編目列を３次元編物の底辺として、３次元編物の側面を筒状に編成するステップ、とを行うことを特徴とする、３次元編物の編成方法。
【請求項２】
前記ステップbで、前記第１の編目列とウェールが連続する各編目列を、第２の編目列から遠ざかるように第１の針床上で左右方向１方に移動させると共に、
移動によって第１の針床上に生じた空針に、前記第２の編目列と対向するように、第１の掛け目の列を設けて、前記第５の編目列とし、
前記移動によって、前記第３の編目列と対向するようになった第２の針床上の針に、第２の掛け目の列を設けて、前記第６の編目列とすることを特徴とする、請求項１の３次元編物の編成方法。
【請求項３】
前記ステップbで、第２の編目列とウェールが連続する編目列を、第４の編目列まで編成し、第２の編目列とウェールが連続する編目列を、第３の編目列から遠ざかるように第２の針床上で左右方向他方に移動させると共に、
移動によって第２の針床上に生じた空針に、前記第３の編目列と対向するように掛け目の列を設けて、前記第６の編目列の一部とし、
前記移動によって、前記第４の編目列と対向するようになった第１の針床上の針に掛け目の列を設けて、前記第５の編目列の一部とすることを特徴とする、請求項２の３次元編物の編成方法。
【請求項４】
前記ステップbで、第４の編目列を編成せずに、
前記ステップcで、第２，第３の編目列と第５，第６の編目列を、３次元編物の底辺とすることを特徴とする、請求項２の３次元編物の編成方法。
【請求項５】
底面の編地と、該底面の辺の編目とウェールが連続する編目からなる筒状の側面の編地とからなる袋、を有する３次元編物。
【請求項６】
前記袋として、親指袋、人差し指袋、中指袋、薬指袋、小指袋の５つの袋を備え、
親指袋のウェールと人差し指袋のウェール、
人差し指袋のウェールと中指袋のウェール、
中指袋のウェールと薬指袋のウェール、及び
薬指袋のウェールと小指袋のウェールとが、指股部で接続されて筒状編地を形成していることを特徴とする、請求項５の３次元編物。  
【請求項７】
前記袋が履き物を構成していることを特徴とする、請求項５の３次元編物。
【請求項８】
前記袋がバッグを構成していることを特徴とする、請求項５の３次元編物。
【発明の詳細な説明】
【技術分野】
【０００１】
この発明は底面と側面とを有する３次元編物の編成に関し、特に３次元編物の底面の編成に関する。
【背景技術】
【０００２】
特許文献１（特開２００７−１６３５１）は、４側面と上面とを有する３次元編物を無縫製で編成することを提案している。特許文献１では、最初に３次元編物の４側面を筒状に編成し、次いで上面の編成を１辺から開始し、編成の過程で両側辺を編成中の辺と接合する。最後に上面の編成中の辺を上面の対向する辺と伏せ目すると、３次元編物が完成する。ここで上面の編成は対向する２辺から初めて、上面の中央部で伏せ目しても良い。【０００３】
特許文献２（ＷＯ２００４／０２０７１９）は手袋の編成を開示し、親指〜小指の５本の指袋をマチで接合することを開示している。そして手袋は例えば、人差し指〜薬指の指袋をマチで接合した指３本分の３胴に、小指の指袋を接合して指４本分の胴とし、これに親指の指袋をマチで接合して、指５本分の胴とする。最後の胴を編成し続け、手首のリブ部を編成すると、手袋が完成する。  【０００４】
特許文献１の３次元編物で底面を無縫製で編成できると、より多様な編地が得られる。例えば縫い目のない立方体や四角錐が得られる。また底面を閉じた筒状編地を編成でき、この編地は例えば手袋や靴下の指袋となる。底面のある３次元編物は、これ以外に履き物やスリッパ、バッグ、財布、眼鏡ケースなどの小物入れなど、多様な日用品に利用できる。
【特許文献１】特開２００７−１６３５１
【特許文献２】ＷＯ２００４／０２０７１９
【発明の開示】
【発明が解決しようとする課題】
【０００５】
この発明の課題は、３次元編物の底面を無縫製で編成できるようにすることと、底面を無縫製で編成した手袋、靴下、バッグなどの編物を提供することにある。
【課題を解決するための手段】
【０００６】
この発明は、前後に対向する第１の針床と第２の針床とを備えた横編機により、３次元編物を編成する方法において、
a:  第１の針床に第１の編目列を、第２の針床に第２の編目列を、第１の編目列と第２の編目列とを対向させて設けるステップと、
b:  第１の編目列とウェールが連続する編目列を、第３の編目列に到るまで、複数列編成して、３次元編物の底面の編地を編成すると共に、第３の編目列と、前記第２の編目列もしくは前記第２の編目列とウェールが連続する第４の編目列との間に、第５の編目列と第６の編目列とを設けるステップと、
c:  前記第２，第３の編目列と第５，第６の編目列、もしくは前記第３〜第６の編目列を３次元編物の底辺として、３次元編物の側面を筒状に編成するステップ、とを行うことを特徴とする。【０００７】
好ましくは、前記ステップbで、前記第１の編目列とウェールが連続する各編目列を、第２の編目列から遠ざかるように第１の針床上で左右方向１方に移動させると共に、
移動によって第１の針床上に生じた空針に、前記第２の編目列と対向するように、第１の掛け目の列を設けて、前記第５の編目列とし、
前記移動によって、前記第３の編目列と対向するようになった第２の針床上の針に、第２の掛け目の列を設けて、前記第６の編目列とする。【０００８】
好ましくは、前記ステップbで、第２の編目列とウェールが連続する編目列を、第４の編目列まで編成し、第２の編目列とウェールが連続する編目列を、第３の編目列から遠ざかるように第２の針床上で左右方向他方に移動させると共に、
移動によって第２の針床上に生じた空針に、前記第３の編目列と対向するように掛け目の列を設けて、前記第６の編目列の一部とし、
前記移動によって、前記第４の編目列と対向するようになった第１の針床上の針に掛け目の列を設けて、前記第５の編目列の一部とする。なお第２の編目列の次の編目列が第４の編目列でも良い。【０００９】
好ましくは、前記ステップbで、第４の編目列を編成せずに、前記ステップcで、第２，第３の編目列と第５，第６の編目列を、３次元編物の底辺とする。【００１０】
またこの発明は、底面の編地と、該底面の辺の編目とウェールが連続する編目からなる筒状の側面の編地とからなる袋、を有する３次元編物にある。【００１１】
好ましくは、前記袋として、親指袋、人差し指袋、中指袋、薬指袋、小指袋の５つの袋を備え、
親指袋のウェールと人差し指袋のウェール、
人差し指袋のウェールと中指袋のウェール、
中指袋のウェールと薬指袋のウェール、及び
薬指袋のウェールと小指袋のウェールとが、指股部で接続されて筒状編地を形成している。
特に好ましくは、上記の各ウェールは各々複数のウェールからなり、親指袋のウェールと人差し指袋のウェール、人差し指袋のウェールと中指袋のウェール、中指袋のウェールと薬指袋のウェール、及び薬指袋のウェールと小指袋のウェールとが、指股部で各々マチで接続されている。【００１２】
また好ましくは、前記袋が履き物を構成している。
また好ましくは、前記袋がバッグを構成している。【００１３】
実施例との対応を示すと、例えば以下のようになる。なおこの明細書で単に編目という場合は掛け目を含み、立体編物を下から上に編むものとして、底面は編み始めに編む面であることを意味する。

第１の針床              後針床
第２の針床              前針床
第１の編目列            編目b〜l
第２の編目列            編目A〜K
第３の編目列            編目j〜t
第５の編目列            掛け目b〜h
第６の編目列            掛け目M〜S
【発明の効果】
【００１４】
この発明では、底面が閉じた立体編物を無縫製で簡単に編成できる。このような立体編物は、底面が指先などにフィットするので、手袋や指袋付きの靴下などに利用できる。またバッグや履き物等にも利用できる。
【図面の簡単な説明】
【００１５】
【図１】実施例での３次元編物の底面の編成手順を示す図
【図２】図１に続く編成手順を示す図
【図３】底面を中央部から両側に編成する変形例を示す図で、図１に続く手順を示す
【図４】実施例での、３次元編物の底面の編成から４側面の編成、上面の編成を模式的に示す図
【図５】底面を中央部から双方向へ編成する変形例を示す図
【図６】上面を双方向から編成して、中央部で伏せ目する変形例を示す図
【図７】４角錐の変形例を示す図
【図８】実施例で編成する履き物を模式的に示す斜視図
【図９】実施例で編成するスリッパを模式的に示す図
【図１０】実施例でのバッグの製造工程を模式的に示す図
【図１１】実施例での手袋の編成手順を模式的に示す図
【図１２】実施例で編成した手袋を指側から見た図
【符号の説明】
【００１６】
２  前針床    ４  後針床    ６  リブコース    ８  底面の編地
１０，１２  編目からなる辺    １４，１６  掛け目からなる辺
１８〜２４  編成中の辺    ２６〜２９  側面    ３０  上面
３２  編目列    ３３〜３５  上面の辺    ３６  編目列
３７，３８  未接合の編目列    ４０  立体編物    ４２  編み出しライン
４４  伏せ目ライン    ７０  ４角錐の編物    ７１〜７４  側面
８０  履き物    ８１  編み出しライン    ８２  底面    ８３〜８６  側面
８７  面    ８８  かかと    ９０  スリッパ    ９１  編み出しライン
９２  底面    ９３〜９６  側面    １００  バッグ    １０１  編み出しライン
１０２  筒状編地    １０３  底面    １０４〜１０７  側面    １０８  上面
１０９  伏せ目ライン    １１１〜１１５  底面    １１６〜１２３  辺
１３１〜１３５  指袋    １４１〜１４４  マチ    １４６〜１４８  胴
１５０  手袋  
【発明を実施するための最良の形態】
【００１７】
以下にこの発明を実施するための最良の形態を示すが、これに限るものではない。
【実施例】
【００１８】
図１〜図１４に、実施例とその変形とを示す。図１，図２に、３次元編物の底面の編成手順を模式的に示す。実施例では２枚ベッドの横編機を用い、そのうち一方の針床が他方の針床に対して左右方向にラッキング自在で、針床間で目移し自在である。２枚ベッドの横編機に代えて、４枚ベッドなどの横編機を用いてもよく、また２枚の針床と２枚のトランスファージャックベッドなどを備えた横編機を用いてもよい。【００１９】
図１のステップ１は編み始めの状態で、A〜lの針に編み始めのリブの編目列を支持させる。次いでステップ２で、図示しないキャリッジを例えば針床の右から左へ移動させて、針Mに掛け目を形成すると共に、後針床側で１コース編成する。ステップ３とステップ４のラッキングにより、後針床側の編目列を２ピッチ右側にシフトさせ、ステップ５で後針床に１コース編成し、空針となった針bに掛け目を形成する。【００２０】
ステップ６で前針床の針Oに掛け目を形成すると共に、後針床の編目列を１コース編成し、ステップ７とステップ８とで後針床の編目列を２ピッチ右側にシフトさせる。ステップ９で後針床に生じた空針ｄに掛け目を形成すると共に、１コース編成する。図１の最下部に示すように、編み始めに前針床の針A〜Kに支持されていた編目列は移動せず、後針床の側では４コース編成されて、編目列はb〜lからf〜pへと４ピッチ移動している。そして前針床では、後針床に形成した針n，pの編目と対向するように、針M，Oに掛け目が２目形成され、後針床で生じた２つの空針b，dに２目の掛け目が形成されている。【００２１】
図２に、ステップ９以降の編成手順を示す。この編成手順はステップ２〜ステップ９の編成手順の繰り返しで、ステップ１０で前針床側に掛け目を１目形成すると共に、底面の編地を１コース編成し、ステップ１１，ステップ１２で後針床側の編目列を２ピッチ右へ移動し、ステップ１３で目移しで生じた空針fに掛け目を形成すると共に、後針床で１コース編地を編成する。ステップ１４〜ステップ１７で、ステップ１０〜ステップ１３の編成をさらに１回繰り返す。【００２２】
ステップ１７の段階で、前針床上の編目列A〜Kは移動せず、後針床上の編目列はｊ〜tまで移動し、掛け目の列が後針床のb〜jと、前針床のM〜Sに形成されている。前針床のA〜Kの編目列や後針床のj〜tの編目列、後針床のb〜hの掛け目列、前針床のM〜Sの掛け目列は、３次元編物の底面の編地の４辺を成す。ここでは底面の編地は長方形で、長辺と短辺との編目の比は３：２である。そしてステップ１０〜ステップ１３の編成過程を繰り返す回数により、正方形の底面や、掛け目列の方がニットの編目列よりも長い底面などを構成できる。【００２３】
ステップ１７の段階で、編目列A〜Kが第２の編目列、編目列j〜tが第３の編目列、掛け目の列b〜hが第５の編目列、掛け目の列M〜Sが第６の編目列である。第３の編目列j〜tは後針床上で当初の位置（b〜l）から図の右側に移動しており、第５の編目列は第２の編目列と対向する位置に、第６の編目列は第３の編目列と対向する位置にある。【００２４】
図１，図２の編成では、編目列は後針床上でのみ形成され、前針床上では形成していない。しかしながら図１のステップ１の状態から、前針床側と後針床側の双方で編目列を形成し、前針床側の編目列と後針床側の編目列を左右方向で反対側に移動させると、底面の中央部などに編み始めを配置できる。【００２５】
このような例を図３に示し、図３の各ステップを行う前に、図１のステップ１〜ステップ９により、後針床側で編目列を図の右側へ移動させる。図３のステップ３１〜ステップ３９で、前針床側の編目列A〜Kを図の左側へ移動させる。個々のステップの内容は、図１，図２での編成手順を多少変更したものである。例えばステップ３１で前針床側で編目列を１コース編成し、ステップ３２で後針床側に掛け目を１目形成すると共に、前針床側に１コース編成する。次いでステップ３３，ステップ３４で前針床側の編目列を２ピッチ左側へ移動させ、ステップ３５で移動により生じた空針に掛け目を１目形成すると共に、１コース前針床側で編成する。以上の手順を繰り返す（ステップ３６〜３９）と、底面の編成の途中から前針床側の編目列を図の左側へ移動させることができる。【００２６】
図４に立体編物４０の編成を模式的に示す。２は前針床で、４は後針床である。図１のステップ１と対応し、リブコース６を１コース編成し、図１，図２のステップ２〜ステップ１７のように、後針床４側で編目列の編成を繰り返す。これによって底面の編地８が形成され、前針床２に複数の編目からなる辺１０が、後針床に同様に複数の編目からなる辺１２が形成される。辺１０はリブコース６での編目列がそのまま残ったものであり、辺１２は編地１０を編成する過程で新たに編成した編目列である。そして辺１２は辺１０に対し、後針床４上で図の右側に移動し、これによって生じた空針に掛け目からなる辺１６が形成され、また辺１２と対向して掛け目からなる辺１４が形成され、辺１４と辺１６の目数は一致する。【００２７】
辺１０，１４，１２，１６上に、立体編物４０の４側面を編成する。なお各図のハッチング等の線は編目の接続を示す。１８〜２４は編成中の辺で、４側面を適宜のコース数で編成して編成を終了すると、図４の左下の上面（４辺１８，２２，２０，１４で囲まれた面）が開口した立体編物が得られる。２６〜２９は立体編物の４つの側面である。立体編物の４側面を編成した後、例えば前針床２上で上面３０を編成し、上面３０を２コース編成する都度、上面の辺３４，３５の編目を各１目ずつ接合する。この結果、未接合の編目列３７，３８は徐々に幅が縮小していく。そして辺３４，３５との接合では、編目列３７を編目列３６側に接合し、編目列３８を編目列３６側に接合する。この結果、編目列３６と編目列３２とが対向し、上面３０での編目の形成を完了した時点で、編目列３６と編目列３２とを重ねて伏せ目すると、立体編物４０が完成する。【００２８】
図４の立体編物４０では、図１，図２に対応して底面の編地を後針床側で編成したが、図３に対応して、底面の編地を前後双方の針床で編成してもよい。このような例を図５に示すと、４２は編み出しラインで、例えば底面の中央部にあり、ここから矢印で示すように、前後双方向に底面の編地を編成し、これに引き続き図４と同様に４側面を編成し、上面３０を編成して伏せ目する。【００２９】
上面の伏せ目自体は特許文献１により様々なものが公知で、例えば図６のように上面は中央部に伏せ目ライン４４を設けて、上面の図での前後双方から編成を開始し、上面の中央部で伏せ目を行ってもよい。【００３０】
図４〜図６では、立方体〜直方体の編物を編成したが、四角錐の編物も編成できる。このような例を図７に示し、７０は四角錐の編物で、正方形〜長方形の底面８を編成し、針床２，４に係止した状態では、底面８は菱形〜平行四辺形をしている。次いで４側面７１〜７４を筒状に編成し、編成過程で筒の幅を徐々に減少して、四角錐の頂点で伏せ目を行うと、図７の右側の編物７０が得られる。【００３１】
図８〜図１２に、立体編物の具体的な応用例を示し、図の白抜き矢印は編成の向きを示す。図８は無縫製で編成した履き物８０を示し、８１は編み出しラインで、例えばつま先側に底面８２を編成し、これに引き続き側面８３〜８６を筒状に編成する。筒の途中で面８７と他の３面とを別々に編成し、面８５を面８４，８６よりも多数コース編成して、かかと８８を編成すると共に、面８５を面８４，８６と接合すると、履き物８０が得られる。図８では、つま先側に編み出しライン８１と底面８２を設けたが、例えば面８５を底面として編成してもよい。【００３２】
図９は無縫製で編成したスリッパ９０を示し、図８の履き物８０の構造を簡略化したものである。ここでは例えば編み出しライン９１から底面９２の編成を開始し、側面９３〜９６を筒状に編成し、途中で側面９３，９４，９６の編成を終了し、側面９５のみの編成を続行すると、スリッパ９０が得られる。【００３３】
図１０に２重構造のバッグ１００の編成例を示す。例えば編み出しライン１０１から編成し、筒状編地１０２を編成する。次いで底面１０３を編成し、ここでは底面１０３の中央部から前後の針床の双方を用いて編成する。引き続き、４つの側面１０４〜１０７を編成し、上面１０８を編成して、例えばその中央部の伏せ目ライン１０９で伏せ目する。次に例えば側面１０７がバッグの内側に来るように折り返すと、図１０の右上の構造となり、筒状編地１０２はバッグカバーとなる。ここまでの処理は無縫製で行うことができるが、２重に重ねた編地は必要に応じて接着し、ボタンなどは縫製や接着その他の加工により取り付ける。なお中央の伏せ目ライン１０９の位置から、編み出しライン１０１の位置へと逆向きに編成することもできる。【００３４】
バッグ１００を２重構造の編物とすると、立体的な形状を自然に保つようになる。図１０でバッグ１００を編成し、２重に折り返す前の図１０左上の状態では、側面１０４〜１０７が鉛直な状態から倒れて、図の形状から外れた物となり易い。ここで図１０の右側のように２重に折り返した状態では、形を崩すと編地に大きな力が加わるので、バッグ１００は自然に立体的な姿を保持しやすい。次に２重のバッグ１００の底面１０７やその周囲の４面などの内層側と、底面１０５やその周囲の４面などの外層側とで、編地の素材などを変えることができる。例えば内層側は絹などの手触りの良い素材や有機栽培の綿などで編成し、外層側は通常の綿などの丈夫な素材や装飾性の高い素材で編成する。【００３５】
なおこれらのことは図８の履き物８０や図９のスリッパ９０、図１１，図１２の手袋などにもあてはまる。例えば履き物８０を、図１０のバッグ１００と同様に２重構造にする。このためには、例えば図８の鎖線８９で示す足首部を設けて、人の足首を４方から同じ高さで囲むように、履き物８０のデザインを変更する。そしてデザインを変更した履き物８０を足首を境に上下対称に２重に編成し、例えば下側の履き物での編み出しライン８１から編成を開始して、上側の履き物の編み出しライン８１の位置で伏せ目して編成を終了する。上下対称な履き物の一方を、他方の中に折り込むと、２重構造の履き物ができる。ここで内側の層は絹や有機栽培の綿、ウールなどの素材とし、外側の層は丈夫な素材や装飾性の高い素材とする。さらに外側の層の底面８５にゴムの靴底などを設けると、室外用の靴となる。図１１，図１２の手袋の場合、手首を境に上下対称に手袋を素材を変えて、内側の手袋は肌触りの良い素材や保温性の高い素材で、外側の手袋は強度や防水性の高い素材で編成する。【００３６】
図１１，図１２に、手袋１５０の編成を示す。図１１の上部に示すように、５つの底面１１１〜１１５を編成し、辺１１６〜１２３は後にマチを形成するためのウェールを作るための辺で、辺１１６〜１２３は各複数のウェールからなる。底面１１１〜１１５の４側面に筒状の編地を編成し、指袋１３１〜１３５とする。ここで指袋１３１は親指に、指袋１３２は人差し指に、指袋１３３は中指に、指袋１３４は薬指に、指袋１３５は小指に対応する。マチ１４２，１４３により、指袋１３２〜１３４を接合して、指３本分の胴１４６とし、小指の指袋１３５とマチ１４４で接合して、指４本分の胴１４７とする。これに親指の指袋１３１をマチ１４１で接合すると、指５本分の胴１４８が得られ、胴１４８をさらに編成して、手首のリブ組織などを編成すると、手袋１５０が得られる。マチ１４１〜１４４を設ける箇所は、手袋の指股部である。【００３７】
図１２は手袋１５０を指先側から見て示し、指袋１３１〜１３５には底面１１１〜１１５が形成されているので、使用者の指の先端が底面１１１〜１１５にフィットする。そして指袋１３１〜１３５の互いに向かい合った面の、各複数のウェールを用いて、マチ１４１〜１４４を形成する。マチ１４１〜１４４を設けると、指袋１３１〜１３５の合計のウェール数に比べ、胴１４８の編幅が狭くなる。これはマチ１４１〜１４４でウェール数を少なくしたからで、窮屈でない指袋１３１〜１３５を設けても、胴１４８が人の手の胴に対してだぶつかない。【００３８】
ここでは５本指の手袋１５０を説明したが、足の指袋から始めて各指股をマチで接合すると、５本指の靴下も同様に編成できる。またミトンも指４本分の袋と親指袋とを指股で接合することにより、同様に編成できる。手袋や靴下は、手首や足首まで編成せずに、手の甲や足の甲で編成を終えても良い。
【図１】
2008143172.tif 000003
【図２】
2008143172.tif 000004
【図３】
2008143172.tif 000005
【図４】
2008143172.tif 000006
【図５】
2008143172.tif 000007
【図６】
2008143172.tif 000008
【図７】
2008143172.tif 000009
【図８】
2008143172.tif 000010
【図９】
2008143172.tif 000011
【図１０】
2008143172.tif 000012
【図１１】
2008143172.tif 000013
【図１２】
2008143172.tif 000014
【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
前後に対向する第１の針床と第２の針床とを備えた横編機により、３次元編物を編成する方法において、
ａ：第１の針床に第１の編目列を、第２の針床に第２の編目列を、第１の編目列と第２の編目列とを対向させて設けるステップと、
ｂ：第１の編目列とウェールが連続する編目列を、第３の編目列に到るまで、複数列編成して、３次元編物の底面の編地を編成すると共に、第３の編目列と、前記第２の編目列もしくは前記第２の編目列とウェールが連続する第４の編目列との間に、第５の編目列と第６の編目列とを設けるステップと、
ｃ：前記第２，第３の編目列と第５，第６の編目列、もしくは前記第３〜第６の編目列を３次元編物の底辺として、３次元編物の側面を筒状に編成するステップ、とを行うことを特徴とする、３次元編物の編成方法。
【請求項２】
前記ステップｂで、前記第１の編目列とウェールが連続する各編目列を、第２の編目列から遠ざかるように第１の針床上で左右方向１方に移動させると共に、
移動によって第１の針床上に生じた空針に、前記第２の編目列と対向するように、第１の掛け目の列を設けて、前記第５の編目列とし、
前記移動によって、前記第３の編目列と対向するようになった第２の針床上の針に、第２の掛け目の列を設けて、前記第６の編目列とすることを特徴とする、請求項１の３次元編物の編成方法。
【請求項３】
前記ステップｂで、第２の編目列とウェールが連続する編目列を、第４の編目列まで編成し、第２の編目列とウェールが連続する編目列を、第３の編目列から遠ざかるように第２の針床上で左右方向他方に移動させると共に、
移動によって第２の針床上に生じた空針に、前記第３の編目列と対向するように掛け目の列を設けて、前記第６の編目列の一部とし、
前記移動によって、前記第４の編目列と対向するようになった第１の針床上の針に掛け目の列を設けて、前記第５の編目列の一部とすることを特徴とする、請求項２の３次元編物の編成方法。
【請求項４】
前記ステップｂで、第４の編目列を編成せずに、
前記ステップｃで、第２，第３の編目列と第５，第６の編目列を、３次元編物の底辺とすることを特徴とする、請求項２の３次元編物の編成方法。
【請求項５】
４辺形の底面の編地と、該底面の辺の編目とウェールが連続する編目からなる筒状の側面の編地とからなる袋を有し、かつ底面の４辺中の対向する２辺が編目からなり、残る２辺が底面の編成時に形成された掛目からなる３次元編物。
【請求項６】
前記袋として、親指袋、人差し指袋、中指袋、薬指袋、小指袋の５つの袋を備え、
親指袋のウェールと人差し指袋のウェール、
人差し指袋のウェールと中指袋のウェール、
中指袋のウェールと薬指袋のウェール、及び
薬指袋のウェールと小指袋のウェールとが、指股部で接続されて筒状編地を形成していることを特徴とする、請求項５の３次元編物。
【請求項７】
前記袋が履き物を構成していることを特徴とする、請求項５の３次元編物。
【請求項８】
前記袋がバッグを構成していることを特徴とする、請求項５の３次元編物。
【請求項９】
前記底面に、前記編目からなる２辺に平行な編み出し部を有することを特徴とする、請求項５の３次元編物。
【請求項１０】
上面の編地を備え、前記底面と側面及び上面とにより、無縫製で閉じた構造をしていることを特徴とする、請求項５，７〜９のいずれかの３次元編物。
【請求項１１】
閉じた構造の編物が２重にされており、２重にされることによって開口が生じていることを特徴とする、請求項１０の３次元編物。
【手続補正書】
【提出日】平成21年11月6日(2009.11.6)
【手続補正１】
【補正対象書類名】明細書
【補正対象項目名】００２６
【補正方法】変更
【補正の内容】
【００２６】
図４に立体編物４０の編成を模式的に示す。２は前針床で、４は後針床である。図１のステップ１と対応し、リブコース６を１コース編成し、図１，図２のステップ２〜ステップ１７のように、後針床４側で編目列の編成を繰り返す。これによって底面の編地８が形成され、前針床２に複数の編目からなる辺１０が、後針床に同様に複数の編目からなる辺１２が形成される。辺１０はリブコース６での編目列がそのまま残ったものであり、辺１２は編地８を編成する過程で新たに編成した編目列である。そして辺１２は辺１０に対し、後針床４上で図の右側に移動し、これによって生じた空針に掛け目からなる辺１６が形成され、また辺１２と対向して掛け目からなる辺１４が形成され、辺１４と辺１６の目数は一致する。
【手続補正２】
【補正対象書類名】明細書
【補正対象項目名】００２７
【補正方法】変更
【補正の内容】
【００２７】
辺１０，１４，１２，１６上に、立体編物４０の４側面を編成する。なお各図のハッチング等の線は編目の接続を示す。１８〜２４は編成中の辺で、４側面を適宜のコース数で編成して編成を終了すると、図４の左下の上面（４辺１８，２２，２０，２４で囲まれた面）が開口した立体編物が得られる。２６〜２９は立体編物の４つの側面である。立体編物の４側面を編成した後、例えば前針床２上で上面３０を編成し、上面３０を２コース編成する都度、上面の辺３４，３５の編目を各１目ずつ接合する。この結果、未接合の編目列３７，３８は徐々に幅が縮小していく。そして辺３４，３５との接合では、編目列３７を編目列３６側に接合し、編目列３８を編目列３６側に接合する。この結果、編目列３６と編目列３２とが対向し、上面３０での編目の形成を完了した時点で、編目列３６と編目列３２とを重ねて伏せ目すると、立体編物４０が完成する。
【国際調査報告】
2008143172.tif 000015
2008143172.tif 000016
2008143172.tif 000017